(57)【要約】      （修正有）【課題】本発明は荷重が加わっても連結ベルトが不用意に外れ難くする。【解決手段】連結ベルトＢ１は、ベルト１００、リング２００、係合部３００ａ、３００ｂおよびこれと異なる係合部４００ａ、４００ｂを備えている。ベルト１００はＹ−Ｙ’方向に延び且つＹ、Ｙ’方向側の第１、第２端部１１０、１２０を有する。リング２００は第１端部１１０の先端に設けられている。係合部３００ａは第２端部１２０の主面１２１ａに、係合部３００ｂは係合部３００ａのＹ方向側で主面１２１ａに固定されている。係合部４００ａは係合部３００ａのＹ’方向側で主面１２１ａに、係合部４００ｂは係合部３００ｂのＹ方向側で主面１２１ａに固定されている。第２端部１２０がリング２００に挿通された後に折り返されることによって、係合部３００ａ、３００ｂが互いに係合すると共に係合部４００ａ、４００ｂが互いに係合する。【選択図】図１
2018177116.tif 000002
【特許請求の範囲】
【請求項１】
第１方向に延びたベルトであって、前記第１方向の一方側の第１端部および前記第１方向の他方側の第２端部を有する前記ベルトと、
前記ベルトの前記第１端部の先端に設けられたリングと、
前記ベルトの前記第２端部の主面に固定された第１係合部と、
前記第１係合部よりも前記第１方向の一方側に位置するように、前記ベルトの前記第２端部の前記主面に固定された第２係合部と、
前記第１係合部よりも前記第１方向の他方側に位置するように、前記ベルトの前記第２端部の前記主面に固定された第３係合部と、
前記第２係合部よりも前記第１方向の一方側に位置するように、前記ベルトの前記第２端部の前記主面に固定された第４係合部とを備えており、
前記第３係合部および前記第４係合部は、前記第１係合部および前記第２係合部と異なる係合部であり、
前記ベルトの前記第２端部が前記リングに挿通された後に折り返されることによって、前記第１係合部および前記第２係合部が互いに係合すると共に、前記第３係合部および前記第４係合部が互いに係合する連結ベルト。
【請求項２】
請求項１記載の連結ベルトにおいて、
前記第１係合部および前記第２係合部は、互いに貼り付け可能な面ファスナである連結ベルト。
【請求項３】
請求項２記載の連結ベルトにおいて、
前記第３係合部および前記第４係合部は、互いに取り付け可能なスナップボタンである連結ベルト。  
【請求項４】
請求項２記載の連結ベルトにおいて、
前記第３係合部および前記第４係合部のうちの一方の係合部は、係合突部であり、他方の係合部が、係合突部が係合可能な係合穴である連結ベルト。
【請求項５】
請求項２記載の連結ベルトにおいて、
前記第３係合部および前記第４係合部は、互いに吸着可能な磁石である連結ベルト。
【発明の詳細な説明】
【技術分野】
【０００１】
本発明は連結ベルトに関する。
【背景技術】
【０００２】
従来の連結ベルトが下記特許文献１に記載されている。この連結ベルトは、ベルトと、このベルトの先端に設けられた略Ｕ字状のフックと、略八の字状の留め金とを備えている。留め金は、第１ループおよび第２ループを有している。第１ループは、二つの端部が交差するように略環状に湾曲している。この第１ループ内にベルトの先端とフックの基端部の連結部が通されている。第２ループは、第１ループの二つの端部から延びた外側に凸の一対の円弧部を有しており、この円弧部の先端部が内側に折り曲げられ、互いに対向している。この円弧部の先端部がフックの先端部の両側面に設けられた一対の横穴に各々挿入されている。このようにして留め金が、フックの開放部を塞ぐように連結部とフックの先端部とに懸架されている。
【０００３】
第１ループが両側から押圧されると、留め金が弾性変形し、第２ループの先端部が互いに離れて横穴から脱する。これにより、フックの開放部が開放され、環状の連結対象をフックに引っ掛けることが可能になる。連結対象をフックに引っ掛けた後、第１ループの押圧を解除すると、留め金が復元し、第２ループの先端部が横穴に挿入される。
【先行技術文献】
【特許文献】
【０００４】
【特許文献１】実開昭６０−１５７４０５号公報
【発明の概要】
【発明が解決しようとする課題】
【０００５】
しかし、第２ループの先端部が横穴に挿入されているだけであるので、牽引時に連結対象がフックおよび／または留め金に内側から当たったり、何らかの物体がフックおよび／または留め金に外側から当たったりすることによって、留め金に荷重が加わると、留め金の第２ループの先端部が横穴から不用意に脱する可能性がある。
【０００６】
本発明は、上記事情に鑑みて創案されたものであって、その目的とするところは、荷重が加わっても、不用意に外れ難い連結ベルトを提供することにある。
【課題を解決するための手段】
【０００７】
上記課題を解決するために、本発明の連結ベルトは、ベルトと、リングと、第１、第２、第３、第４係合部とを備えている。ベルトは第１方向に延びており、且つ第１方向の一方側の第１端部と、第１方向の他方側の第２端部とを有している。リングは、ベルトの第１端部の先端に設けられている。第１係合部は、ベルトの第２端部の主面に固定されている。第２係合部は、第１係合部よりも第１方向の一方側に位置するように、ベルトの第２端部の主面に固定されている。第３係合部は、第１係合部よりも第１方向の他方側に位置するように、ベルトの第２端部の主面に固定されている。第４係合部は、第２係合部よりも第１方向の一方側に位置するように、ベルトの第２端部の主面に固定されている。第３係合部および第４係合部は、第１係合部および第２係合部と異なる係合部である。ベルトの第２端部がリングに挿通された後に折り返されることによって、第１係合部および第２係合部が互いに係合すると共に、第３係合部および第４係合部が互いに係合するようになっている。
【０００８】
このような態様の連結ベルトは、連結対象を取り囲むように環状にするまたは連結対象内に挿入して環状し、当該ベルトの第２端部をリングに挿通した後に折り返す。これにより、第１係合部および第２係合部が互いに係合するだけでなく、第３係合部および第４係合部が互いに係合する。第３係合部および第４係合部は、第１係合部および第２係合部と異なる係合部であるので、仮に、連結対象が当該連結ベルトに内側から当たったり、何らかの物体が当該連結ベルトに外側から当たったりすることによって、当該連結ベルトに荷重が加わったとしても、第１係合部および第２係合部の係合および第３係合部および第４係合部の係合の少なくとも一方が維持される可能性が高くなる。したがって、本連結ベルトは荷重が加わったとしても連結対象から不用意に外れ難くなる。
【０００９】
第１係合部および第２係合部は、互いに貼り付け可能な面ファスナとすることが可能である。
【００１０】
第３係合部および第４係合部は互いに取り付け可能なスナップボタンとすることが可能である。または、第３係合部および第４係合部のうちの一方の係合部は、係合突部とし、他方の係合部が、係合突部が係合可能な係合穴とすることが可能である。または、第３係合部および第４係合部のうちの一方の係合部は、互いに吸着可能な磁石することが可能である。
【００１１】
なお、第１係合部および第２係合部は、面ファスナに限定されない。第１係合部および第２係合部は互いに取り付け可能なスナップボタンとすることが可能であるし、第１係合部および第２係合部のうちの一方の係合部は、係合突部とし、他方の係合部が、係合突部が係合可能な係合穴とすることが可能であるし、第１係合部および第２係合部は互いに吸着可能な磁石することが可能である。
【図面の簡単な説明】
【００１２】
【図１】本発明の実施例１に係る連結ベルトの正面図である。
【図２】前記連結ベルトの背面図である。
【図３】前記連結ベルトの平面図である。
【図４】前記連結ベルトの底面図である。
【図５】前記連結ベルトの拡大右側面図である。
【図６】前記連結ベルトの拡大左側面図である。
【図７】前記連結ベルトを連結対象に取り付ける一過程を示す底面図である。
【図８】前記連結ベルトが連結対象に取り付けられた状態を示す底面図である。
【図９】前記連結ベルトが連結対象を備えるキャリーカートに取り付けられた状態を示す図である。
【図１０】実施例１に係る連結ベルトの第１設計変形例の正面図である。
【図１１】実施例１に係る連結ベルトの第２設計変形例の正面図である。
【図１２】本発明の実施例２に係る連結ベルトの正面図である。
【図１３】実施例２に係る連結ベルトの第１設計変形例の正面図である。
【図１４】実施例２に係る連結ベルトの第２設計変形例の正面図である。
【図１５】本発明の実施例３に係る連結ベルトの正面図である。
【図１６】実施例３に係る連結ベルトの第１設計変形例の正面図である。
【図１７】実施例３に係る連結ベルトの第２設計変形例の正面図である。
【図１８】本発明の実施例４に係る連結ベルトの正面図である。
【図１９】実施例４に係る連結ベルトの第１設計変形例の正面図である。
【図２０】実施例４に係る連結ベルトの第２設計変形例の正面図である。
【発明を実施するための形態】
【００１３】
以下、本発明の実施例１〜４について説明する。
【実施例１】
【００１４】
以下、本発明の実施例１を含む複数の実施例に係る連結ベルトＢ１ついて図１〜図１１を参照しつつ説明する。図１〜図９には、実施例１に係る連結ベルトＢ１が示されており、図１０には実施例１に係る連結ベルトＢ１の第１設計変形例が示されており、図１１には実施例１に係る連結ベルトＢ１の第２設計変形例が示されている。なお、図１〜図４に示すＹ−Ｙ’方向は、連結ベルトＢ１の長手方向および特許請求の範囲の第１方向に相当し、図３〜図４に示すＺ−Ｚ’方向は、連結ベルトＢ１の厚み方向に相当し、図１〜図２に示すＸ−Ｘ’方向は、連結ベルトＢ１の短手方向に相当する。
【００１５】
連結ベルトＢ１はベルト１００を備えている。ベルト１００は、Ｙ−Ｙ’方向に延びており、且つＹ方向の第１端部１１０およびＹ’方向の第２端部１２０を有している。第２端部１２０は、Ｚ方向の主面１２１と、Ｚ’方向の裏面１２２を有している。主面１２１は、Ｙ’方向側の第１仮想領域１２１ａと、Ｙ方向側の第２仮想領域１２１ｂとを有している。
【００１６】
連結ベルトＢ１はリング２００をさらに備えている。リング２００は、多角環状（図１〜図１１では四角環状）、円環状、Ｄ字状、Ｕ字状またはＣ字状などである。リング２００のＸ−Ｘ’方向の内形寸法はベルト１００の第１端部１１０のＸ−Ｘ’方向の外形寸法よりも大きく、且つリング２００のＹ−Ｙ’方向の内形寸法は、ベルト１００の第１端部１１０の第１端部１１０および第２端部１２０のＺ−Ｚ’方向の断面の外形寸法よりも大きい。リング２００はベルト１００の第１端部１１０の先端に設けられている。例えば、図１〜図１１に示されるように、ベルト１００の第１端部１１０がリング２００内に挿通された後に折り返され、この折り返し部がベルト１００の第１端部１１０の折り返し部より後側の部分に縫い付けられている。リング２００内にベルト１００の第２端部１２０を挿通した後、第２端部１２０の主面１２１の第１仮想領域１２１ａと第２仮想領域１２１ｂとが互いに対向するように折り返すことができる。なお、説明の便宜上、ベルト１００の第２端部１２０の折り返される部分（Ｙ’方向側の端部）を折り返し部と称し、第２端部１２０の折り返し部よりＹ方向側の部分を基部と称する。
【００１７】
連結ベルトＢ１は第１係合部３００ａおよび第２係合部３００ｂを少なくとも一つずつさらに備えている。第１係合部３００ａは主面１２１の第１仮想領域１２１ａ上に、第２係合部３００ｂは主面１２１の第２仮想領域１２１ｂにそれぞれ接着、縫い付け、埋設、圧着などによって固定されている。第２係合部３００ｂは、第１係合部３００ａに対してＹ方向側に位置している。第１係合部３００ａおよび第２係合部３００ｂは、Ｙ−Ｙ’方向に間隔があけて配置されていても良いし、間隔なしに配置されていても良い。
【００１８】
第１係合部３００ａおよび第２係合部３００ｂのうちの一方の係合部が雄面ファスナ（以下、単に面ファスナとも称する。）であり、他方の係合部が、雄面ファスナが貼り付け可能な雌面ファスナ（以下、単に面ファスナとも称する。）である。上記のとおりにベルト１００の第２端部１２０の折り返し部をリング２００内に挿通した後、折り返すことによって、雄面ファスナが雌面ファスナに貼り合わせられる。雄雌の面ファスナは、図１〜図９に示すようにＹ−Ｙ’方向に長尺状であっても良いが、これに限定されるものではなく、正方形、多角形（正方形および長方形を除く。）または円形などとすることが可能である。
【００１９】
連結ベルトＢ１は第３係合部４００ａおよび第４係合部４００ｂを少なくとも一つずつさらに備えている。第３係合部４００ａおよび第４係合部４００ｂは、第１係合部３００ａおよび第２係合部３００ｂと異なる係合部である。第３係合部４００ａは、ベルト１００の第２端部１２０の主面１２１の第１仮想領域１２１ａに第１係合部３００ａよりもＹ’方向側に位置するように接着、縫い付け、埋設、圧着などによって固定されている。第４係合部４００ｂは、ベルト１００の第２端部１２０の主面１２１の第２仮想領域１２１ｂに第２係合部３００ｂよりもＹ方向側に位置するように接着、縫い付け、埋設、圧着などによって固定されている。第３係合部４００ａおよび第４係合部４００ｂは、例えば、下記１）〜３）の何れかのとおりの構成とすることが可能である。
【００２０】
１）第３係合部４００ａおよび第４係合部４００ｂのうちの一方の係合部が雄スナップボタン、他方の係合部が、雄スナップボタンが取り付け可能な雌スナップボタンとすることが可能である（図１〜図９参照）。この場合、上記のとおりにベルト１００の第２端部１２０の折り返し部をリング２００内に挿通した後、折り返すことによって、雄スナップボタンが雌スナップボタンに取り付けられる。なお、図１〜図９では、第３係合部４００ａおよび第４係合部４００ｂは各々一対であって、Ｘ−Ｘ’方向に間隔をあけて配置されている。
【００２１】
２）第３係合部４００ａおよび第４係合部４００ｂのうちの一方の係合部が多角柱状（四角柱状を含む）、円柱状（図１０参照）または略球状等の係合突部、他方の係合部が、係合突部の外形寸法に対応した内形寸法を有し且つ係合突部が嵌合可能な係合穴を有する構成とすることが可能である。この場合、上記のとおりにベルト１００の第２端部１２０の折り返し部をリング２００内に挿通した後、折り返すことによって、係合突部が係合孔に嵌合する。一方の係合部は、係合突部が設けられたベース部をさらに有していても良く、他方の係合部は、係合孔が設けられたベース部をさらに有していても良い。なお、図１０では、係合突部および係合孔は各々一対であって、Ｘ−Ｘ’方向に間隔をあけて配置されている。
【００２２】
３）第３係合部４００ａおよび第４係合部４００ｂが互いに吸着可能な多角板状（（図１１では、四角板状）または円板状等の磁石を有する構成することが可能である。この場合、上記のとおりにベルト１００の第２端部１２０の折り返し部をリング２００内に挿通した後、折り返すことによって、磁石同士が吸着する。この磁石は互いに吸着した状態で、後述するように荷重が連結ベルトＢ１に加わったとしても離れにくい磁力を有するものを用いると良い。第３係合部４００ａおよび第４係合部４００ｂの各々は、磁石が固定されるベース部をさらに有していても良い。なお、磁石はベース部内に位置しており、外部に露出しない構成とすることも可能である。また、第３係合部４００ａおよび第４係合部４００ｂの一方は、磁石に吸着される磁性体とすることも可能である。
【００２３】
以下、上記した何れかの態様の連結ベルトＢ１を連結対象Ｔ１および連結対象Ｔ２に取り付ける手順について詳しく説明する。なお、連結対象Ｔ１は、棒（図７〜図９参照）、リング、紐およびロープなどの一つであり、連結対象Ｔ２は、棒（図７〜図９参照）、リング、紐またはロープなどの少なくとも一つである。連結対象Ｔ１、Ｔ２は同じものであっても良いし、互いに異なるものであっても良い。
【００２４】
まず、直線状の連結ベルトＢ１を用意する。この連結ベルトＢ１を環状にし、連結ベルトＢ１の第２端部１２０の折り返し部をリング２００内に挿通する。連結対象Ｔ１および／または連結対象Ｔ２が棒である場合、連結ベルトＢ１を環状にするとき、その内側に棒を配すると良い。連結対象Ｔ１および／またはＴ２がリングである場合、連結ベルトＢ１を環状にするときに、リング内に通して環状とすると良い。連結対象Ｔ１および／またはＴ２が紐やロープである場合、連結ベルトＢ１を環状にするときに、その内側に紐やロープを配すると良い。
【００２５】
その後、第２端部１２０の主面１２１の第１仮想領域１２１ａと第２仮想領域１２１ｂとが互いに対向する（第２端部１２０の折り返し部と基部が対向する）ように第２端部１２０の折り返し部を折り返す。これにより、第１係合部３００ａが第２係合部３００ｂに貼り合わせられると共に、第３係合部４００ａが第４係合部４００ｂに係合する。このようにして連結ベルトＢ１が連結対象Ｔ１および連結対象Ｔ２に取り付けられる。
【００２６】
なお、図９では、連結対象Ｔ１は、キャリーカートＣ１のフレームの一対の後側垂直棒（図示一つ）であり、連結対象Ｔ２はキャリーカートＣ２のフレームの一対の前側垂直棒（図示一つ）である。二つの連結ベルトＢ１のうちの一方のベルトが、上記のとおり一対の後側垂直棒のうちの一方の後側垂直棒と前側垂直棒のうちの一方の前側垂直棒とに取り付けられ、他方のベルトが、上記のとおり、他方の後側垂直棒と他方の前側垂直棒とに取り付けられている。キャリーカートＣ１を引っ張ることによって、キャリーカートＣ２を一対の連結ベルトＢ１を介して牽引することができる。
【００２７】
以下、上記した何れかの態様の連結ベルトＢ１を連結対象Ｔ１および連結対象Ｔ２から取り外す手順について詳しく説明する。ベルト１００の第２端部１２０の折り返し部を基部から離反させる。これにより、第３係合部４００ａおよび第４係合部４００ｂの係合が解除される。引き続き、ベルト１００の第２端部１２０の折り返し部を基部から離反させる。これにより、第１係合部３００ａおよび第２係合部３００ｂの貼り合わせが解除される。その後、第２端部１２０の折り返し部をリング２００から抜く。これにより、連結ベルトＢ１が直線状に戻るので、連結対象Ｔ１および連結対象Ｔ２から取り外すことができる。
【００２８】
以上のような連結ベルトＢ１による場合、ベルト１００の第２端部１２０を挿通した後、折り返すことによって、第１係合部３００ａが第２係合部３００ｂに張り付けられると共に、第３係合部４００ａが第４係合部４００ｂに係合される。第１係合部３００ａおよび第２係合部３００ｂは面ファスナである一方、第３係合部４００ａおよび第４係合部４００ｂは、第１係合部３００ａおよび第２係合部３００ｂと異なる係合部であるので、仮に、連結対象Ｔ１および／またはＴ２が連結ベルトＢ１に内側から当たったり、何らかの物体（例えば、木々、ベンチや建築物など）が連結ベルトＢ１に外側から当たったりすることによって、連結ベルトＢ１に荷重が加わったとしても、第１係合部３００ａおよび第２係合部３００ｂの貼り合わせ、および第３係合部４００ａおよび第４係合部４００ｂの係合の少なくとも一方が維持される可能性が高くなる。よって、連結ベルトＢ１は荷重が加わったとしても、連結対象Ｔ１、Ｔ２から不用意に外れ難くなる。
【００２９】
ところで、一般的に、雄雌の面ファスナは互いに離れることによって、その貼り合わせが解除されるが、連結ベルトＢ１の場合、第３係合部４００ａが、第１係合部３００ａよりもＹ’方向側（第２端部１２０の折り返し部の先端側）で、第４係合部４００ｂに係合されているため、連結ベルトＢ１の第２端部１２０の折り返し部分に対して何らかの物体が外側から当たったとしても、第２端部１２０の折り返し部分の先端側（第３係合部４００ａ側）から面ファスナである第１係合部３００ａおよび第２係合部３００ｂが互いに離れる可能性が低くなる。一方、第２端部１２０の折り返し部分の基端側は、リング２００に通されているため、当該折り返し部分に対して何らかの物体が外側から当たったとしても、第１係合部３００ａおよび第２係合部３００ｂが折り返し部分の基端側から互いに離れることはない。
【実施例２】
【００３０】
以下、本発明の実施例２を含む複数の実施例に係る連結ベルトＢ２ついて図１２〜図１４を参照しつつ説明する。図１２には、実施例２に係る連結ベルトＢ２が示されており、図１３には実施例２に係る連結ベルトＢ２の第１設計変形例が示されており、図１４には実施例２に係る連結ベルトＢ２の第２設計変形例が示されている。
【００３１】
連結ベルトＢ２は、その少なくとも一つの第１係合部３００ａ、第２係合部３００ｂ、第３係合部４００ａ、第４係合部４００ｂが連結ベルトＢ１の少なくとも一つの第１係合部３００ａ、第２係合部３００ｂ、第３係合部４００ａ、第４係合部４００ｂと各々相違している以外、連結ベルトＢ１と同じ構成である。よって、連結ベルトＢ２の説明のうち、連結ベルトＢ１の説明と重複するものについては省略する。
【００３２】
第１係合部３００ａおよび第２係合部３００ｂのうちの一方の係合部が雄スナップボタン、他方の係合部が、雄スナップボタンが取り付け可能な雌スナップボタンである（図１２〜図１４参照）。この場合、上記のとおりにベルト１００の第２端部１２０の折り返し部をリング２００内に挿通した後、折り返すことによって、雄スナップボタンが雌スナップボタンに取り付けられる。なお、図１２〜図１４では、第１係合部３００ａおよび第２係合部３００ｂは各々一対であって、Ｘ−Ｘ’方向に間隔をあけて配置されている。
【００３３】
第３係合部４００ａおよび第４係合部４００ｂは、例えば、上記２）、上記３）および下記４）の何れかのとおりの構成とすることが可能である。なお、第３係合部４００ａおよび第４係合部４００ｂが上記２）である場合の一例が図１３に示されており、上記３）である場合の一例が図１４に示されている。
【００３４】
４）第３係合部４００ａおよび第４係合部４００ｂのうちの一方の係合部が雄面ファスナ、他方の係合部が、雄面ファスナが貼り付け可能な雌面ファスナとすることが可能である（図１２参照）。この場合、上記のとおりにベルト１００の第２端部１２０の折り返し部をリング２００内に挿通した後、折り返すことによって、雄面ファスナが雌面ファスナに貼り合わせられる。雄雌の面ファスナは、図１２に示すようにＹ−Ｙ’方向に長尺状であっても良いが、これに限定されるものではなく、正方形、多角形（正方形および長方形を除く。）または円形などとすることが可能である。
【００３５】
上記した何れかの態様の連結ベルトＢ２は、連結ベルトＢ１と同様に連結対象Ｔ１および連結対象Ｔ２に取り付けることができ、且つ取り外すことができる。
【００３６】
以上のような連結ベルトＢ２による場合、ベルト１００の第２端部１２０を挿通した後、折り返すことによって、第１係合部３００ａが第２係合部３００ｂに取り付けられると共に、第３係合部４００ａが第４係合部４００ｂに係合される。第１係合部３００ａおよび第２係合部３００ｂはスナップボタンである一方、第３係合部４００ａおよび第４係合部４００ｂは、第１係合部３００ａおよび第２係合部３００ｂと異なる係合部であるので、仮に、連結対象Ｔ１および／またはＴ２が連結ベルトＢ２に内側から当たったり、何らかの物体（例えば、木々、ベンチや建築物など）が連結ベルトＢ２に外側から当たったりすることによって、連結ベルトＢ２に荷重が加わったとしても、第１係合部３００ａおよび第２係合部３００ｂの貼り合わせ、および第３係合部４００ａおよび第４係合部４００ｂの係合の少なくとも一方が維持される可能性が高くなる。よって、連結ベルトＢ２は荷重が加わったとしても、連結対象Ｔ１、Ｔ２から不用意に外れ難くなる。
【実施例３】
【００３７】
以下、本発明の実施例３を含む複数の実施例に係る連結ベルトＢ３ついて図１５〜図１７を参照しつつ説明する。図１５には、実施例２に係る連結ベルトＢ３が示されており、図１６には実施例３に係る連結ベルトＢ３の第１設計変形例が示されており、図１７には実施例３に係る連結ベルトＢ３の第２設計変形例が示されている。
【００３８】
連結ベルトＢ３は、その少なくとも一つの第１係合部３００ａ、第２係合部３００ｂ、第３係合部４００ａ、第４係合部４００ｂが連結ベルトＢ１の少なくとも一つの第１係合部３００ａ、第２係合部３００ｂ、第３係合部４００ａ、第４係合部４００ｂと各々相違している以外、連結ベルトＢ１と同じ構成である。よって、連結ベルトＢ３の説明のうち、連結ベルトＢ１の説明と重複するものについては省略する。
【００３９】
第１係合部３００ａおよび第２係合部３００ｂのうちの一方の係合部が多角柱状（四角柱状を含む）、円柱状または略球状等の係合突部、他方の係合部が、係合突部の外形寸法に対応した内形寸法を有し且つ係合突部が嵌合可能な係合穴を有している（図１５〜図１７参照）。この場合、上記のとおりにベルト１００の第２端部１２０の折り返し部をリング２００内に挿通した後、折り返すことによって、係合突部が係合孔に嵌合する。一方の係合部は、係合突部が設けられたベース部をさらに有していても良く、他方の係合部は、係合孔が設けられたベース部をさらに有していても良い。なお、図１５〜図１７では、係合突部および係合孔は各々一対であって、Ｘ−Ｘ’方向に間隔をあけて配置されている。
【００４０】
第３係合部４００ａおよび第４係合部４００ｂは、例えば、上記１）、上記３）および上記４）の何れかのとおりの構成とすることが可能である。なお、第３係合部４００ａおよび第４係合部４００ｂが上記４）である場合の一例が図１５に示されており、上記１）である場合の一例が図１６に示されており、上記３）である場合の一例が図１７に示されている。
【００４１】
上記した何れかの態様の連結ベルトＢ３は、連結ベルトＢ１と同様に連結対象Ｔ１および連結対象Ｔ２に取り付けることができ、且つ取り外すことができる。
【００４２】
以上のような連結ベルトＢ３による場合、ベルト１００の第２端部１２０を挿通した後、折り返すことによって、第１係合部３００ａが第２係合部３００ｂに張り付けられると共に、第３係合部４００ａが第４係合部４００ｂに係合される。第１係合部３００ａおよび第２係合部３００ｂはスナップボタンである一方、第３係合部４００ａおよび第４係合部４００ｂは、第１係合部３００ａおよび第２係合部３００ｂと異なる係合部であるので、仮に、連結対象Ｔ１および／またはＴ２が連結ベルトＢ３に内側から当たったり、何らかの物体（例えば、木々、ベンチや建築物など）が連結ベルトＢ３に外側から当たったりすることによって、連結ベルトＢ３に荷重が加わったとしても、第１係合部３００ａおよび第２係合部３００ｂの貼り合わせ、および第３係合部４００ａおよび第４係合部４００ｂの係合の少なくとも一方が維持される可能性が高くなる。よって、連結ベルトＢ３は荷重が加わったとしても、連結対象Ｔ１、Ｔ２から不用意に外れ難くなる。
【実施例４】
【００４３】
以下、本発明の実施例４を含む複数の実施例に係る連結ベルトＢ４ついて図１８〜図２０を参照しつつ説明する。図１８には、実施例４に係る連結ベルトＢ４が示されており、図１９には実施例４に係る連結ベルトＢ４の第１設計変形例が示されており、図２０には実施例４に係る連結ベルトＢ４の第２設計変形例が示されている。
【００４４】
連結ベルトＢ４は、その少なくとも一つの第１係合部３００ａ、第２係合部３００ｂ、第３係合部４００ａ、第４係合部４００ｂが連結ベルトＢ１の少なくとも一つの第１係合部３００ａ、第２係合部３００ｂ、第３係合部４００ａ、第４係合部４００ｂと各々相違している以外、連結ベルトＢ１と同じ構成である。よって、連結ベルトＢ４の説明のうち、連結ベルトＢ１の説明と重複するものについては省略する。
【００４５】
第１係合部３００ａおよび第２係合部３００ｂが互いに吸着可能な多角板状（四角板状を含む）または円板状等の磁石を有する構成とすることが可能である（図１８〜図２０参照）。この場合、上記のとおりにベルト１００の第２端部１２０の折り返し部をリング２００内に挿通した後、折り返すことによって、磁石同士が吸着する。なお、磁石は、後述するように連結ベルトＢ４に荷重が加わったとしても互いに離れにくい磁力を有するものを用いると良い。第１係合部３００ａおよび第２係合部３００ｂの各々は、磁石が固定されるベース部をさらに有していても良い。なお、図１８〜図２０では、磁石は一対であって、Ｘ−Ｘ’方向に間隔をあけて配置されている。なお、磁石はベース部内に位置しており、外部に露出しない構成とすることも可能である。第１係合部３００ａおよび第２係合部３００ｂの一方は、磁石に吸着される磁性体とすることも可能である。
【００４６】
第３係合部４００ａおよび第４係合部４００ｂは、例えば、上記１）、上記２）および上記４）の何れかのとおりの構成とすることが可能である。なお、第３係合部４００ａおよび第４係合部４００ｂが上記４）である場合の一例が図１８に示されており、上記１）である場合の一例が図１９に示されており、上記２）である場合の一例が図２０に示されている。
【００４７】
上記した何れかの態様の連結ベルトＢ４は、連結ベルトＢ１と同様に連結対象Ｔ１および連結対象Ｔ２に取り付けることができ、且つ取り外すことができる。
【００４８】
以上のような連結ベルトＢ４による場合、ベルト１００の第２端部１２０を挿通した後、折り返すことによって、第１係合部３００ａが第２係合部３００ｂに吸着すると共に、第３係合部４００ａが第４係合部４００ｂに係合される。第１係合部３００ａおよび第２係合部３００ｂはスナップボタンである一方、第３係合部４００ａおよび第４係合部４００ｂは、第１係合部３００ａおよび第２係合部３００ｂと異なる係合部であるので、仮に、連結対象Ｔ１および／またはＴ２が連結ベルトＢ４に内側から当たったり、何らかの物体（例えば、木々、ベンチや建築物など）が連結ベルトＢ４に外側から当たったりすることによって、連結ベルトＢ４に荷重が加わったとしても、第１係合部３００ａおよび第２係合部３００ｂの貼り合わせ、および第３係合部４００ａおよび第４係合部４００ｂの係合の少なくとも一方が維持される可能性が高くなる。よって、連結ベルトＢ４は、荷重が加わったとしても、連結対象Ｔ１、Ｔ２から不用意に外れ難くなる。
【００４９】
なお、上記した連結ベルトは、上記実施例に限定されるものではなく、特許請求の範囲の記載範囲において任意に設計変更することが可能である。以下、詳しく述べる。
【００５０】
本発明の第１係合部および第２係合部は、ベルトの第２端部をリングに挿通した後、折り返すことによって、互いに取外し可能に係合するものであれば良く、上記した例に限定されない。本発明の第３係合部および第４係合部は、ベルトの第２端部をリングに挿通した後、折り返すことによって、互いに取外し可能に係合するものであれば良く、上記した例に限定されない。本願発明の第１〜第４係合部のベルトの第２端部に対する固定は、接着、縫い付け、埋設、圧着などに限定されず、その他の方法で固定されるものも含む。
【００５１】
なお、上記実施例の各態様および設計変形例における連結ベルトの各構成要素を構成する素材、形状、寸法、数および配置等はその一例を説明したものであって、同様の機能を実現し得る限り任意に設計変更することが可能である。上記した実施例の各態様および設計変更例は、互いに矛盾しない限り、相互に組み合わせることが可能である。本発明の連結ベルトは、牽引用のベルトに限定されない。
【符号の説明】
【００５２】
Ｂ１、Ｂ２、Ｂ３：連結ベルト
１００：ベルト
１１０：第１端部
１２０：第２端部
１２１：主面
１２１ａ：第１仮想領域
１２１ｂ：第２仮想領域
１２２：裏面
２００：リング
３００ａ：第１係合部
３００ｂ：第２係合部
４００ａ：第３係合部
４００ｂ：第４係合部
Ｃ１：キャリーカート
Ｔ１：連結対象
Ｃ２：キャリーカート
Ｔ２：連結対象
【図１】
2018177116.tif 000003
【図２】
2018177116.tif 000004
【図３】
2018177116.tif 000005
【図４】
2018177116.tif 000006
【図５】
2018177116.tif 000007
【図６】
2018177116.tif 000008
【図７】
2018177116.tif 000009
【図８】
2018177116.tif 000010
【図９】
2018177116.tif 000011
【図１０】
2018177116.tif 000012
【図１１】
2018177116.tif 000013
【図１２】
2018177116.tif 000014
【図１３】
2018177116.tif 000015
【図１４】
2018177116.tif 000016
【図１５】
2018177116.tif 000017
【図１６】
2018177116.tif 000018
【図１７】
2018177116.tif 000019
【図１８】
2018177116.tif 000020
【図１９】
2018177116.tif 000021
【図２０】
2018177116.tif 000022